(57)【要約】複数のセルを含むセルラー通信システムにおいて動作するように構成された送受信機の方法を開示する。当該方法は、第１のセルから送信信号を受信する工程と、干渉信号、並びに干渉信号の占有時間及び占有周波数の少なくとも１つを判定する工程と、干渉信号の占有時間及び占有周波数の少なくとも一方に対応する受信信号の減少値を判定する工程と、受信信号の参照シンボルの望ましい信号と望ましくない信号との比率を測定する工程とを含む。チャネル品質指標ＣＱＩは、上記判定した減少値を考慮して形成され、当該ＣＱＩは通信システムに報告される。同様の特徴を有する送受信機及びコンピュータプログラムも開示する。
2014527349.tif 000002
【特許請求の範囲】
【請求項１】
複数のセルを含むセルラー通信システムにおいて動作する送受信機の方法であって、
第１のセルからの送信信号を受信する工程（５００）と、
干渉信号と、該干渉信号の占有時間及び占有周波数の少なくとも１つとを判定する工程（５０２）と、
当該減少を前記受信値に対して全体でゼロに設定するか、又は、当該減少を前記受信値に対して部分的に影響の少ない量で与える減少値であって、前記受信信号で実行される信号処理の信号値の影響を減少させるように解釈され、前記受信信号の受信値に関連する、前記干渉信号の前記占有時間及び占有周波数の少なくとも１つに対応する前記受信信号の前記減少値を、判定する工程（５０４）と、
チャネル品質の計算に対して望まれる前記受信信号であるか、望まれない前記受信信号であるかの比率を測定する工程（５０６）と、
前記測定された比率及び前記判定された減少値の量に基づき、チャネル品質指標（ＣＱＩ）を形成する工程（５０８）と、
前記ＣＱＩを前記セルラー通信システムに報告する工程（５１０）と
を含むことを特徴とする方法。
【請求項２】
複数のセルを含むセルラー通信システムにおいて動作する送受信機の方法であって、
第１のセルからの送信信号を受信する工程（６００）と、
チャネル品質の計算に対して望まれる受信信号であるか、望まれない前記受信信号であるかの比率を測定する工程（６０２）と、
干渉信号と、該干渉信号の占有時間及び占有周波数の少なくとも１つとを判定する工程（６０４）と、
当該減少を前記受信値に対して全体でゼロに設定するか、又は、当該減少を前記受信値に対して部分的に影響の少ない量で与える減少値であって、前記受信信号で実行される信号処理の信号値の影響を減少させるように解釈され、前記受信信号の受信値に関連する、前記干渉信号の前記占有時間及び占有周波数の少なくとも１つに対応する前記受信信号の前記減少値を、判定する工程（６０６）と、
前記減少に関する有効符号レートを算出する工程（６０８）と、
前記減少に基づき適応容量を算出する工程（６１０）と、
容量又は前記適応容量をチャネル品質指標（ＣＱＩ）にマッピングする工程と、
前記ＣＱＩを前記セルラー通信システムに報告する工程（６１４）と
を含むことを特徴とする方法。
【請求項３】
前記比率を測定する前記工程（６０２）の後に、
前記測定した比率を推定容量にマッピングする工程（６０９）と、
前記推定容量に基づき、任意の減少を考慮する必要があるか否かを判定し（６０３）、前記減少を考慮する必要があると判定すると、前記受信信号の減少値を判定する工程（６０８）、有効符号レートを算出する工程（６０８）、及び前記減少に基づき適応容量を算出する工程を実行し、前記減少を考慮する必要がないと判定すると、それらの工程の実行を省略する工程と
をさらに含むことを特徴とする請求項２に記載の方法。
【請求項４】
前記セルラー通信システムは、第２のセルをさらに備え、
前記第２のセルは、前記第１のセルの有効範囲領域全体を実質的に含み、送信をスケジュールする前記第１のセルと同時に少なくとも１つのサブフレームを送信するように構成され、
前記干渉信号の判定する前記工程は、前記第２のセルからの前記少なくとも１つのサブフレーム中に送信された複数のシンボルの存在を判定する工程を含むことを特徴とする請求項１乃至３の何れか１項に記載の方法。
【請求項５】
前記第２のセルは、前記第１のセルが送信をスケジュールすることができるように、データシンボルを含むことなく参照シンボルのみを含む、少なくとも１つのサブフレームを送信するように構成され、
前記減少値を判定するために考慮すべき前記干渉信号は、前記第２のセルから送信された前記参照シンボルに対応していることを特徴とする請求項４に記載の方法。
【請求項６】
前記干渉信号を判定する前記工程は、前記送受信機の内部で生成されたスプリアス信号を判定する工程を含むことを特徴とする請求項１乃至５の何れか１項に記載の方法。
【請求項７】
前記ＣＱＩを形成する工程（５０８）は、さらに、前記サブフレームの前記判定された減少値の前記占有時間及び占有周波数の少なくとも１つの位置に基づくことを特徴とする請求項１乃至６の何れか１項に記載の方法。
【請求項８】
前記ＣＱＩを形成する工程は、さらに、前記判定された減少値の割り当てサイズに基づくことを特徴とする請求項１乃至７の何れか１項に記載の方法。
【請求項９】
複数のセルを含むセルラー通信システムにおいて動作する送受信機（８００）であって、
第１のセルからの送信信号を受信する受信機（８０２）と、
干渉信号と、該干渉信号の占有時間及び占有周波数の少なくとも１つとを判定する干渉モニタと、
当該減少を前記受信値に対して全体でゼロに設定するか、又は、当該減少を前記受信値に対して部分的に影響の少ない量で与える減少値であって、前記受信信号で実行される信号処理の信号値の影響を減少させるように解釈され、前記受信信号の受信値に関連する、前記干渉信号の前記占有時間及び占有周波数の少なくとも１つに対応する前記受信信号の前記減少値を、判定する減少判定回路（８０２）と、
チャネル品質の計算に対して望まれる前記受信信号であるか、望まれない前記受信信号であるかの比率を測定する信号測定回路（８０６）と、
前記測定された比率及び前記判定された減少値の量に基づき、チャネル品質指標（ＣＱＩ）を形成するプロセッサ回路（８０８）と、
前記ＣＱＩを前記セルラー通信システムに報告する送信機（８０４）と
を備えることを特徴とする送受信機。
【請求項１０】
複数のセルを含むセルラー通信システムにおいて動作する送受信機（８００）であって、
第１のセルからの送信信号を受信する受信機（８０２）と、
チャネル品質の計算に対して望まれる受信信号であるか、望まれない前記受信信号であるかの比率を測定する信号測定回路（８０６）と、
前記受信信号で実行される信号処理の信号値の影響を減少させるように、当該減少を前記受信値に対して全体でゼロに設定するか、又は、当該減少を前記受信値に対して部分的に影響の少ない量で与える、前記受信信号の受信値に関連する減少値であって、占有時間及び占有周波数の少なくとも１つに対応する前記受信信号の前記減少値を判定する減少判定回路（８１０）と、
前記減少に関する有効符号レートを算出し、前記減少に基づき適応容量を算出し、前記適応容量をチャネル品質指標（ＣＱＩ）にマッピングするプロセッサ回路（８０８）と、
前記ＣＱＩを前記セルラー通信システムに報告する送信機（８０４）と
を備えることを特徴とする送受信機。
【請求項１１】
前記プロセッサ回路（８０８）は、さらに、
測定した比率を推定容量にマッピングし、前記容量に基づき、任意の減少を考慮する必要があるか否かを判定し、前記減少を考慮する必要があると判定すると、前記減少判定回路を有効にして前記受信信号の減少値を判定させ、前記減少を考慮する必要がないと判定すると、前記減少判定回路を無効にし、前記測定した比率をマッピングした前記推定容量は、前記容量として使用され、有効符号レートの算出は省略されることを特徴とする請求項１０に記載の送受信機。
【請求項１２】
前記セルラー通信システムは、第２のセルをさらに備え、
前記第２のセルは、前記第１のセルの有効範囲領域全体を実質的に含み、送信をスケジュールする前記第１のセルと同時に少なくとも１つのサブフレームを送信するように構成され、
前記干渉信号の判定は、前記第２のセルからの前記少なくとも１つのサブフレーム中に送信された複数のシンボルの存在を判定することを特徴とする請求項９乃至１１の何れか１項に記載の送受信機。
【請求項１３】
前記第２のセルは、前記第１のセルが送信をスケジュールすることができるように、データシンボルを含むことなく参照シンボルのみを含む、少なくとも１つのサブフレームを送信するように構成され、
前記減少値を判定するために考慮すべき前記干渉信号は、前記第２のセルから送信された前記参照シンボルに対応していることを特徴とする請求項１２に記載の送受信機。
【請求項１４】
前記減少判定回路（８１０）は、さらに、前記送受信機の内部で生成されたスプリアス信号に対応する減少値を判定する工程を含むことを特徴とする請求項９乃至１３の何れか１項に記載の送受信機。
【請求項１５】
前記プロセッサ回路（８０８）は、さらに、前記サブフレームの前記判定された減少値の前記占有時間及び占有周波数の少なくとも１つの位置に前記ＣＱＩが基づくように構成されることを特徴とする請求項９乃至１４の何れか１項に記載の送受信機。
【請求項１６】
前記プロセッサ回路（８０８）は、さらに、前記判定された減少値の割り当てサイズに前記ＣＱＩが基づくように構成されることを特徴とする請求項９乃至１５の何れか１項に記載の送受信機。
【請求項１７】
請求項１乃至８の何れか１項に記載の方法の各工程を送受信機に実行させるように構成された該送受信機のプロセッサによって実行されるコンピュータで実行可能な命令を含むコンピュータプログラム。
【発明の詳細な説明】
【技術分野】
【０００１】
本発明は、一般に、チャネル品質指標報告を提供する方法、並びにそのために適応された送受信機及びコンピュータプログラムに関する。
【背景技術】
【０００２】
ＬＴＥ及びＨＳＰＡ等のモバイルブロードバンドに対して最適化されたセルラーシステムは、リンクアダプテーション及びＨＡＲＱを使用する。これらの機能性は、リンク及びシステムの双方の見地から向上されたスループット性能のために導入される。リンクアダプテーションにおいて、端末は、ＣＱＩ等のネットワークに通知する現在の無線性能及びフィードバックを推定する必要がある。次に、ネットワークノード（スケジューラ）はＭＣＳを適応する。その後ＨＡＲＱは、ロバスト性能のために導入され、誤り復号化ブロックの高速再送のために使用される。一般的なチャネルの例において、最適化性能のために、約１０％の第１の送信ＢＬＥＲは、リンクの見地からほぼ最適であり、スケジューラは、対象のＣＱＩ及びＢＬＥＲに基づいてＭＣＳを選択するように動作している。
【０００３】
従来、ＣＱＩは、受信信号のＳＮＲのみに基づいている。既知の干渉に対する軟値の適応／軟値をヌル値とすること／軟値に対する作用等の内部判断は考慮されないため、報告されたＣＱＩは、現在の復号化性能を正確に示さず、楽観的すぎるだろう。従って、これは、一般に最適化性能のために約１０％で動作すべき第１の送信ＢＬＥＲ、すなわちパケット再送率を向上させることにより、システムにおけるスループットを低下させる。いくつかのスケジューリングによる解決方法において、ある外側ループ制御は、最終的にそのように偏ったＣＱＩを考慮するスケジューラに導入される。しかし、そのようなループは一般に低速であるため、端末に対する干渉の状況は、制御器が注意を払う前に別のセルへのハンドオーバ等により適切に変更されうる。従って、必ずしもそのような外側ループＢＬＥＲ制御補償を使用して最適化性能を達成する必要はない
従って、端末は、ＣＱＩを推定してそれをセルラーシステムに報告し、報告された全てのＣＱＩは、セルラーシステムが効率的に動作するために重要である。
【０００４】
特許文献１は、信号対干渉比（ＳＩＲ）を偏らせて、受信信号のパケット誤り率（ＰＥＲ）を測定することを含むチャネル品質指標（ＣＱＩ）を生成し、且つＰＥＲを対象のＰＥＲと比較して補正項を生成する方法を開示する。補正項は、参照チャネルのＳＩＲ推定と組み合わされてＣＱＩを生成する。ＣＱＩは、符号レート、変調の種類、符号の数、パワーオフセット等の信号構成を調整するために送信機に報告される。
【０００５】
しかし、近年のセルラーシステムにおいて、性能を向上させるために、多くの「トリック」が端末及び基地局の双方に適用される。これらのトリックのうちのいくつかにより、推定／報告されたＣＱＩは、実際のチャネル品質を不適切に概説することになるだろう。これは、セルラーシステムが意図されたほど効率的に動作しないことを示すだろう。従って、より適切にチャネル品質を反映するＣＱＩを提供することが望ましい。
【先行技術文献】
【特許文献】
【０００６】
【特許文献１】国際公開第２００５／０００５６８号Ａ２パンフレット
【発明の概要】
【０００７】
本発明の目的は、少なくとも上述の問題を緩和することである。本発明は、端末側における受信信号の値が「減少した」ことにより元々割り当てられ使用された符号レートとは異なる有効符号レートが与えられるという理解に基づいている。これは、実際のチャネル品質に影響を及ぼす。発明者は、少なくとも全体的なシステム効率のために、端末からセルラーシステムに報告されたＣＱＩが実際のチャネル品質を反映すべきであることが分かっているため、本明細書において改善されたＣＱＩ報告の一組の解決方法を提供する。
【０００８】
本明細書において、「減少」は、干渉源による影響を受けることが既知であるか又はその可能性がある受信値の削除、ヌル値とすること、抑制又は他の適応を含む。減少は、受信機又は後続の処理回路における軟値の削除、ヌル値抑制等による能動的な対策であり、あるいは軟値がかなり破損しているために送受信機又は後続の処理回路において処理のために適切に使用できない場合には干渉の原因となる。以下の開示において、「減少した」及び「減少」という用語は、受信信号に対して、例えば復号化において実行された信号処理における信号値の影響を減少するものとして解釈されるデータＲＥの軟値に関して使用される。従って、減少は全体的なものとしては、値がゼロに設定される、部分的なものとしては、値がより少ない影響を示す量を与えられる。
【０００９】
第１の態様によると、複数のセルを含むセルラー通信システムにおいて動作するように構成された送受信機の方法が提供される。方法は、第１のセルから送信信号を受信する工程と、干渉信号、並びに干渉信号の占有時間及び占有周波数の少なくとも１つを判定する工程と、干渉信号の占有時間及び占有周波数の少なくとも１つに対応する受信信号の減少値を判定する工程と、受信信号の参照シンボルの望ましい信号と望ましくない信号との比率を測定する工程と、測定された比率及び判定された減少値の量に基づいてチャネル品質指標ＣＱＩを形成する工程と、ＣＱＩを通信システムに報告する工程とを備える。
【００１０】
第２の態様によると、セルを含むセルラー通信システムにおいて動作するように構成された送受信機の方法が提供される。方法は、第１のセルから送信信号を受信する工程と、受信信号の参照シンボルの望ましい信号と望ましくない信号との比率を測定する工程と、干渉信号、並びに干渉信号の占有時間及び占有周波数の少なくとも１つを判定する工程と、干渉信号の占有時間及び占有周波数の少なくとも１つに対応する受信信号の減少値を判定する工程と、減少に対する有効符号レートを算出する工程と、減少に基づいて適用容量を算出する工程と、容量又は適用容量をチャネル品質指標ＣＱＩにマッピングする工程と、ＣＱＩを通信システムに報告する工程とを備える。
【００１１】
方法は、比率を測定するステップの後、測定された比率を推定された容量にマッピングする工程と、何らかの減少が考慮される必要があるかを容量に基づいて判定することであり、減少が考慮される必要があると判定される場合に受信信号の減少値を判定する工程、有効符号レートを算出する工程及び減少に基づいて適用容量を算出する工程、並びに減少が考慮される必要があると判定されない場合にこれらの工程を省略する工程を実行する工程とを更に備える。
【００１２】
第１の態様及び第２の態様の方法の場合、セルラーシステムは実質的には第１のセルの有効範囲領域全体を範囲に含む第２のセルを更に含み、第２のセルは、送信をスケジュールする第１のセルと同時に少なくとも１つのサブフレームを送信するように構成され、干渉信号の判定は、前記少なくとも１つのサブフレームの間に第２のセルから送信されたシンボルの存在の判定を含む。第２のセルは、データシンボルは含まないで参照シンボルのみを含む少なくとも１つのサブフレームを送信するように構成されるため、第１のセルは送信をスケジュールために有効にされ、減少値を判定するために考慮される干渉信号は、第２のセルから送信された参照シンボルに対応している。
【００１３】
第１の態様及び第２の態様の方法の場合、干渉信号の判定は、送受信機において内部で生成されたスプリアス信号を判定することを含む。
【００１４】
第１の態様及び第２の態様の方法の場合、ＣＱＩを形成は、サブフレームにおいて判定された減少値の占有時間及び占有周波数の少なくとも１つの位置に更に基づいている。ＣＱＩの形成は、判定された減少値の割り当てサイズに更に基づいている。
【００１５】
第３の態様によると、複数のセルを含むセルラー通信システムにおいて動作するように構成された送受信機が提供される。送受信機は、第１のセルから送信信号を受信するように構成された受信機と、干渉信号、並びに干渉信号の占有時間及び占有周波数の少なくとも１つを判定するように構成された干渉モニタと、干渉信号に対応する受信信号の減少値を判定するように構成された減少判定回路と、受信信号の参照シンボルの望ましい信号と望ましくない信号との比率を測定するように構成された信号測定回路と、測定された比率及び減少することにおいて実行された減少値の量に基づいてチャネル品質指標ＣＱＩを形成するように構成されたプロセッサ回路と、ＣＱＩの報告を通信システムに送信するように構成された送信機とを備える。
【００１６】
第４の態様によると、複数のセルを含むセルラー通信システムにおいて動作するように構成された送受信機が提供される。送受信機は、第２のセルから送信信号を受信するように構成された受信機と、受信信号の参照シンボルの望ましい信号と望ましくない信号との比率を測定するように構成された信号測定回路と、減少の判定を実行するために第１のセルから干渉送信の干渉シンボルに対応する受信信号の減少値を判定するように構成された減少判定回路、及び判定された減少に対する有効符号レートを算出し且つ判定された減少に基づいて適用容量を算出するように構成され、且つ容量をチャネル品質指標ＣＱＩにマッピングするように更に構成される処理回路と、ＣＱＩに関する報告を通信システムに送信するように構成された送信機とを備える。処理回路は、測定された比率を推定された容量にマッピングし、且つ減少の何らかの判定が考慮される必要があるかを容量に基づいて判定するように更に構成され、処理回路は、減少が考慮される必要があると判定される場合に受信信号の減少値を判定するために減少判定回路を有効にし、且つ減少が考慮される必要があると判定されない場合に減少判定回路を無効にするように構成され、測定された比率のマッピングから推定された容量は容量として使用され、有効符号レートの算出は省略される。
【００１７】
第３の態様及び第４の態様の場合、セルラーシステムは実質的には第１のセルの有効範囲領域全体を範囲に含む第２のセルを更に含み、第２のセルは、送信をスケジュールする第１のセルと同時に少なくとも１つのサブフレームを送信するように構成され、干渉信号の判定は、前記少なくとも１つのサブフレームの間に第２のセルから送信されたシンボルの存在の判定を含む。第２のセルは、データシンボルは含まないで参照シンボルのみを含む少なくとも１つのサブフレームを送信するように構成されるため、第１のセルは送信をスケジュールするために有効にされ、減少判定回路により減少されるものとして判定される干渉シンボルは、第２のセルからの参照シンボルに対応している。
【００１８】
第３の態様及び第４の態様の場合、減少判定回路は、送受信機において内部で生成されたスプリアス信号に対応する減少値を判定するように更に構成される。
【００１９】
第３の態様及び第４の態様の場合、プロセッサ回路は、サブフレームにおいて判定された減少値の占有時間及びは占有周波数の少なくとも１つの位置にＣＱＩを基づかせるように更に構成される。
【００２０】
第３の態様及び第４の態様の場合、プロセッサ回路は、判定された減少値の割り当てサイズにＣＱＩを基づかせるように更に構成される。
【００２１】
第５の態様によると、送受信機のプロセッサにより実行された時に第１の態様又は第２の態様のいずれかに係る方法を送受信機に実行させるように構成されるコンピュータが実行可能な命令を含むコンピュータプログラムが提供される。
【００２２】
本発明の他の目的、特徴及び利点は、以下の詳細な開示、添付の従属請求項及び図面から明らかとなるだろう。一般に、特許請求の範囲において使用される全ての用語は、特に指定のない限り、技術分野における通常の意味に従って解釈されるべきである。特に指定のない限り、「単数の［要素、デバイス、構成要素、手段、ステップ等］」を参照することは、全て、前記要素、前記デバイス、前記構成要素、前記手段、前記ステップ等の少なくとも１つの例を参照するものとして公然と解釈されるべきである。特に指定のない限り、本明細書において開示されるあらゆる方法のステップは、開示される厳密な順序で実行されなくてもよい。
【図面の簡単な説明】
【００２３】
添付の図面を参照して、上記、並びに本発明の更なる目的、特徴及び利点は、本発明の好適な実施形態の以下の例示的な限定しない詳細な説明を通してより適切に理解されるだろう。
【図１】複数のセルを含むセルラー通信システムを示す図であり、あるレベルの第１のセルの有効範囲領域全体が、実質的には別のレベルの第２のセルにより範囲に含まれる図である。
【図２】第２のセルにより送信された多数のサブフレームを示す図である。
【図３】内部干渉が生じる受信機を示す図である。
【図４】第１のセルから受信した多数のサブフレーム及び図３に示されたような生じた内部干渉を示す図である。
【図５】第１の方法に従う一実施形態に係る方法を示すフローチャートである。
【図６】第２の方法に従う一実施形態に係る方法を示すフローチャートである。
【図７】第２の方法に従う一実施形態に係る方法を示すフローチャートである。
【図８】一実施形態に係る送受信機を概略的に示すブロック図である。
【図９】一実施形態に係るセルラーデバイスを概略的に示すブロック図である。
【図１０】種々の変調方式に対するチャネル容量及びＳＮＲのマッピングを示す図である。
【図１１】プロセッサ上で実行された時に図５〜図７に示された方法のうちのいずれかを実現するように構成される命令を含むコンピュータ可読媒体を概略的に示す図である。
【発明を実施するための形態】
【００２４】
いくつかの無線の例において、端末は、ＬＴＥの専門用語を使用して受信したある特定のシンボル／リソースエレメント上でかなりの干渉を経験しうるが、同様の原理が他のシステムに適用される。そのような一例は、図１に示されるように、マクロセル及びピコセルが混合されるヘテロジニアスネットワーク（ＨｅｔＮｅｔ）の例である。図１は、各々が基地局１０４、１０６により動作される２つのセル１００、１０２を示し、図１において、端末１０８が動作している。向上されたＵＬ性能のために、ＤＬがピコセルからよりマクロセルからの方が非常により強力である、例えば１０〜１５ｄＢである場合でも、マクロセルよりピコセルに端末が接続される方がより適切なこともある。その理由は、約２３ｄＢｍの端末に対する一方で、４０ｄＢｍの範囲のマクロセルに対する異なる最大出力電力である。別の理由は、それぞれのセルに対する距離及び伝搬状況が異なるために、端末からピコセル及びマクロセルのそれぞれへのＵＬ経路損失が異なることである。干渉の問題を改善するために、ＡＢＳ、すなわちマクロセルがデータを送信しないためにピコセルに接続された端末がスケジュールされうるサブフレームが導入される。しかし、パイロットシンボル、ＣＲＳは、ＡＢＳサブフレームにおいてもマクロセルから送信される必要がある。図２に示されるように、これらのＣＲＳは、ある特定のＲＥにおいてかなりの干渉を引き起こす。以下において更に明らかにされるように、端末がセル探索処理においてマクロセルを検出したことにより、ＣＲＳに対して使用されたセルＩＤ及びＲＥに関する情報を有するため、これは、これらのＲＥから発生したビットに対する軟値を減少し且つデータを含むピコセルのＲＥと干渉すること、すなわち有効符号レートに影響を及ぼすことで端末において補償されうる。従って、一方ではデータを含むピコセルのＲＥと干渉することより可能性が低い状況であるマイクロセルのＣＲＳがピコセルのＣＲＳとのみ偶然干渉する場合、ピコセル内のデータ送信の有効符号レートは影響を受けない。使用可能な方法の他の例は、軟値のスケーリング及び除去である。これらの方法は全て、ＣＱＩにおいて調整を必要とする。そのような方法を単純なＩＣ受信機であると解釈できる。減少することは、基本的にパンクすることと同一の効果を有するため、軟値が減少すると有効符号レートは上昇する。ＣＲＳの場合、ＲＥの約９〜１０％の干渉が減少されることにより、端末により見られるように同一の量だけ有効符号レートが上昇する。
【００２５】
図３は、内部干渉が生じる受信機３００を示す。受信機３００は、参照としてアンテナ配置３０３に接続され且つ水晶発振器３０６を使用して局部発振器３０４によりクロック制御されたフロントエンド受信機３０２を備える。フロントエンド受信機３０２は、出力をローパスフィルタ３０８に提供し、信号は、量子化器３１０及びＯＦＤＭ信号の場合には高速フーリエ変換器３１１に更に提供されてから、検出器３１２及び更なる上位層の処理に更に提供される。この例において、内部で、すなわち端末の送受信機において生成されたスプリアス（spur）は、図３（点線の矢印）及び図４（スプリアス周波数を示した）において示されるように、ある特定の副搬送波上でかなりの干渉を発生させうる。これは、スプリアスが性能に影響を及ぼしうる参照感度レベルに近接する低い信号レベルにおいて特に当てはまる。一般にスプリアスは、水晶発振器により生成され、高調波は、受信した周波数帯域において１つ又はいくつかの副搬送波に達しうる。水晶発振器の周波数及びいくつかの副搬送波と干渉しうる潜在的な高調波も認識されるため、そのような干渉を改善する１つの方法は、図４に示されるように、これらの影響を受けたＲＥから発生したビットに対する軟値を減少することによる方法である。この場合も、符号レートの上昇は、基本的にそれぞれ副搬送波及びＲＥの総量に対する影響を受けた副搬送波及びＲＥの数に比例する。
【００２６】
本発明の基本概念は、例えばＣＲＳを使用して推定される受信信号の現在のＳＮＲだけではなく、事前に既知の減少した軟値の数にも基づいて、端末がネットワークノードに送信されたＣＱＩを判定することである。軟値の減少は、既知の干渉源により極度に歪められるリソースエレメントに対して必要とされるだろう。一実施形態において、干渉源は、ある特定のリソースエレメント上でかなりの干渉を発生させる隣接する隣接ネットワークノードから送信された既知のパイロットシンボル又は参照シンボル、あるいは既知の他のシンボルであり、すなわち隣接セルは、信号の観点から、端末がキャンプオンしているセルの重要な部分を範囲に含むと考えられうる。尚、本明細書において、端末がキャンプオンしているセルの実際の有効範囲が端末が実際に配置される場所における信号環境であり、且つ他の位置における有効範囲が本発明の機能に技術的に影響を及ぼさないため、それ自体が極めて重要ではない。また、セルという用語は、「セル」が各々が単独でセルとして動作しているセクタに分割されてもよいセルラーシステムにおける機能を考慮して解釈されるべきである。別の実施形態において、既知の干渉源は、送受信機において内部で生成された、すなわちある特定の数の副搬送波を干渉すると認識されるスプリアス信号であってよいため、向上された性能のためにはこれらのリソースエレメント上で送信されたビットに対する軟値の減少が必要とされる。軟値の減少は、有効符号レートに影響を及ぼす、すなわち有効符号レートを上昇させるため、ＣＱＩの判定においてこのような認識が考慮される。提案された本発明の場合、ＣＱＩ指標が現在の受信機の性能に適応されることにより、最適化されたスループットが達成される。
【００２７】
概念は、主に２つの方法、すなわち減少を実行すること及び減少に基づいてＣＱＩを算出すること、又は容量を推定すること、推定された容量に基づいて減少を実行すること、減少の後に容量を再度推定すること及び再度推定された容量に基づいてＣＱＩを算出することにおいて使用可能である。ＣＱＩは、第１の方法において実行された減少に直接マッピングされ、第２の方法において実行された減少、すなわち減少の後に達成された容量に間接的にマッピングされる。
【００２８】
図５は、第１の方法が採用される方法を示すフローチャートである。送信は、端末が現在キャンプオンしている第１のセルを動作させる基地局から端末により受信される（５００）。また、本発明の干渉源が判定される（５０２）。例えば干渉源は、第１のセルからの送信に含まれた周波数及び時刻を占有する送信を実行する別のセルであってよい。例えば干渉セルは、次にピコセル（セルラーシステムに対して使用された専門用語に依存して又はマクロセル、あるいは別のレベルのセル）であると考えられてよい第１のセルの有効範囲領域にわたり送信を拡散するマクロセルであってよい。この問題は適切なセル計画及び周波数割り当てにより解決されているべきであるが、干渉セルは隣接セルであってもよい。更に干渉源は、上述したように、端末において内部で生成されたスプリアスであってよい。当然、これらのあらゆる組合せが可能である。干渉源の判定（５０２）は、干渉源の周波数及び時間の少なくとも１つの占有の判定を含む。スプリアスの場合、干渉源は、判定の考慮の期間の全ての時間及びスプリアスがある特定の周波数で全ての期間実行する発振器であるという原因のために特定の周波数で存在してもよい。別の干渉セルの場合、重複は、判定の考慮の期間のある特定の時刻においてある特定の周波数で存在してもよい。どの時間及び周波数のどこに干渉源が存在するかに関する情報、干渉源により到達される受信信号のどんな値を判断できる。これに基づいて、これらの干渉された値、すなわち減少される値が判定される（５０４）。また、望ましい信号と望ましくない信号との比率が測定される（５０６）。例えばこれは、チャネル品質の計算に対して好まれるかあるいは考案されるＳＮＲ、ＳＩＲ、ＳＩＮＲ又は他の種類の比率であってよい。尚、当然それが可能であるが、動作５００、５０２、５０６の順序は特定の順序である必要はない。例えば、干渉源の判定（５０２）は、周期的に行われてもよいため、送信の受信（５００）の前に行われていてよい。すなわち、干渉源の判定（５０２）は、送信のいくつかの受信（５００）に対して有効であると考えられる。同様に、比率の測定（５０６）は、干渉源の判定（５０２）の前に行われてよいが、当然、送信の受信（５００）の後に行われる必要がある。更に干渉源の判定（５０２）は、送信の受信（５００）の前及び送信毎に行われてよい。後者は、送信が干渉源の判定と「干渉」しないという利点を有しうる。また、動作５００、５０２、５０６は、実質的には同時に実行されてよい。
【００２９】
干渉された値の減少が判定され（５０４）且つ比率が測定される（５０６）と、比率及び減少値の量に基づいてＣＱＩが形成される。従って、ＣＱＩは、測定された比率に基づいて信号品質を考慮するが、実行された値の減少の判定に基づいて有効符号レートのあらゆる変化も考慮する。その後、ＣＱＩは、ＣＱＩ報告としてキャンプセルの基地局に送信される（５１０）。
【００３０】
図６及び図７は、第２の方法が採用される方法を示すフローチャートである。図６は、第２の方法に従って改善されたＣＱＩ報告を提供する基本的な一実施形態を示し、図７は、予備で判定された容量に基づいて干渉された値の減少の選択的な条件付きの判定を含む一実施形態を示す。相互に類似するそれぞれの実施形態の動作に対して、実施形態の比較の利便性のために同一の図中符号が使用される。
【００３１】
図５を参照して実証された実施形態に類似する基本的な実施形態の場合、送信が受信され（６００）、ＳＮＲ、ＳＩＲ又はＳＩＮＲ等の比率が測定され（６０２）、干渉源が判定され（６０４）、干渉された値の減少が判定される（６０６）。判定された減少（６０６）に基づいて、有効符号レートが算出される（６０８）。有効符号レートに基づいて、チャネルの容量が算出される（６１０）。算出された容量は、その後適切なＣＱＩにマッピングされ（６１２）、ＣＱＩ報告は基地局に送信される（６１４）。条件付きの実施形態の場合、同様の送信信号を受信する（６００）動作及び比率を測定する（６０２）動作が実行される。その後、測定された比率は、チャネル容量にマッピングされて（６０９）、何らかの減少が考慮される必要があるかが判定される（６０３）。容量が十分である、すなわち減少を考慮する必要がない場合、マッピングされた容量がその結果ＣＱＩにマッピングされ（６１２）、ＣＱＩは、基地局への送信（６１４）において報告される。しかし、減少を考慮する必要がある場合、図６を参照して実証したのと同様の動作、すなわち、干渉源を判定する（６０４）動作、減少、すなわち干渉された値の量を判定する（６０６）動作及び有効符号レートを算出する（６０８）動作が実行される。容量は再度算出され（６１０’）、その後、再度算出された容量はＣＱＩにマッピングされ（６１２）、ＣＱＩは送信（６１４）において基地局に報告される。尚、本明細書において、干渉源を判定する（６０４）動作は、減少の考慮が必要とされる状況においてのみ実行されることが示される。しかし、実際には、干渉源は、図５を参照して実証されたように、あらゆる方法で、例えば送信信号を受信する前に又はいくつかの送信に対して判定されてもよい。
【００３２】
方法に対して共通に、端末は、定期的に、例えばサブフレーム毎に受信信号の比率を推定できる。一般に比率は、ある種のパイロット又は参照シンボルを使用して推定され、方法は本発明により限定されない。比率に基づいて、ＣＱＩ指標が判定される。一般にこれは、サブフレームにおける時間周波数グリッド上のいくつかの点にわたり調整されたチャネル容量の平均値を使用することに基づいている。容量は、ビットでＣ＝ＢＷ＊ｌｏｇ２（Ｉ＋Ｑ）として算出可能であり、式中、ＢＷは帯域幅であり、Ｉは単一行列であり、Ｑは比率を示す行列である。容量の調整は、符号化の損失、チャネル推定の損失及び変調の制約等を補償するためである。一般にそのようなカーブは、種々の変調に対する図１０のように見えるだろう。平均値は、３ＧＰＰ３６．２１３仕様書における表７．２．３−１を使用することでＣＱＩ値にマッピングされうる。次に制御ユニットは、図７に示された方法の時点で必要とされる軟値の減少の何らかの判定があるかを判定できる。ある特定のリソースエレメント上に送信されたビット／シンボルに対する軟値の減少の判定の理由は、上述した通りであってよい。減少される軟値の数に基づいて、制御ユニットは、これがどのように有効符号レートに影響を及ぼすかを判定する。減少した軟値の数のみを使用することに加えて、減少値の配置及び割り当てサイズの少なくとも１つも考慮されうる。これらの余分な選択肢は、時間周波数グリッド上のコードブロックレイアウトを利用する。変更されたＣＱＩ値は、減少した軟値の量に基づいて判定される。一実施形態において、例えばパンクすることは、変更されたＣＱＩの判定のために推定されたＳＩＲに対して組み合わせて使用される「パンクすることによる有効ＳＩＲ劣化」にマッピングされうる。そのような「ＳＩＲ劣化」情報は、ルックアップテーブルに格納され且つ事前に行われた研究室での実験に基づいてよい。別の実施形態において、パンクすることは、減少の必要性を考慮して判定されたシンボル情報から減少されるシンボル情報劣化にマッピングされてよく、変更されたシンボル情報は変更されたＣＱＩにマッピングされる。最後に、端末は、ネットワークノードとの接続設定中又はネットワークノードと端末との後の信号伝送において端末が受信したパラメータにより規定された変更されたＣＱＩをネットワークに定期的に送信する。
【００３３】
報告されたＣＱＩ値が軟値の減少のためにどのように変化するかの一例は、データシンボルを送信する１００個のデータＲＥ及びパイロットシンボルを送信する１０個の参照ＲＥがあると仮定することである。１００個のデータＲＥのうちの１０個がマクロセル等からの強力な干渉を有し、且つパイロットシンボルから推定されたＳＮＲが１０ｄＢであり、これがＲＥ毎の３ビットのほぼ平均容量に対応すると仮定する。端末は干渉源を認識及び考慮し、容量は、９０×３（干渉されていないＲＥ）＋１０×０（容量０を有すると仮定された干渉されたＲＥ）１００で除算された（データＲＥの総数）になり、これはＲＥ毎に２．７ビットである。３ＧＰＰ３６．２１３仕様書における表７．２．３−１から、これによりＣＱＩ９が得られる。ＲＥ毎の３ビットの補正されていない計算により、ＣＱＩ１０が得られる。
【００３４】
図８は、実施形態に係る送受信機８００を概略的に示すブロック図である。送受信機８００は、実証された方法を参照して上述したようなセルラー通信システムにおいて動作するように構成される。送受信機は、１つ以上のアンテナを備えるあるアンテナ配置に接続された受信機８０２及び送信機８０４を備える。送受信機８００は、受信機８０２を介して、すなわち上述したような別のセル及び内部の少なくとも１つで生成されたスプリアスから受信した干渉源に関する情報を判定するように構成される干渉モニタを備える測定回路網８０６を更に備える。更に上述したように、測定回路網８０６は、望ましい信号と望ましくない信号との比率を測定するように構成された信号測定回路を更に備える。測定回路網８０６は、結果を処理回路８０８、すなわち制御器に提供する。測定回路網８０６は、受信機８０２の一部、処理回路８０８の一部又は独立した回路であってよい。処理回路８０８は、セルラーネットワークに報告するために送信機８０４に提供されるＣＱＩを形成するように構成される。処理回路８０８は、干渉信号に対応する受信信号の減少値を判定するように構成される減少判定回路８１０を制御するように更に構成される。処理回路８０８は、減少値の判定が考慮される必要があるか及び減少判定回路８１０の機能を有効／無効にするかを判定してもよい。本明細書において、減少判定回路８１０は、例えば機能的に統合された処理回路８０８の一部又は独立した回路であってよい。処理回路８０８は、実行された値の減少に依存してＣＱＩを形成する。これは、測定された比率及び実行された減少にＣＱＩを基づかせることによるか、あるいは実行されたあらゆる減少の結果である容量の算出に基づいてよい。本明細書において、プロセッサは、どんな減少も全て容量の初期の算出に基づいて行われるべきであるかを判定するように選択的に構成される。
【００３５】
上述の構造は、受信信号の減少値を判定するような減少判定回路８１０の制御を実行する干渉信号の特性を判定する機能を有する。占有時間及び占有周波数の少なくとも１つ、並びに干渉源の割り当てもこのために判定される。この情報は、ＣＱＩの形成のために更に使用されてよい。
【００３６】
図９は、一実施形態に係るセルラーデバイス９００を概略的に示すブロック図である。セルラーデバイス９００は、移動電話、ＷＷＡＮモジュール又はＷＷＡＮケーブルデバイス等の移動端末であってよい。セルラーデバイス９００は、図８を参照して実証したような送受信機８００を備える。送受信機８００は、受信した値を復号器９０２に提供し、セルラーネットワークに送信される符号器９０４から値を受信する。復号器９０２及び符号器９０４は、上位層の処理のために回路網９０６に接続されるが、本発明の趣旨を不明瞭にしないために本明細書において更なる説明はしない。セルラーデバイス９００は、更なるデバイスに接続するために、ＵＳＢ、ＩＥＥＥ１３９４又は自社開発のインタフェース等のユーザインタフェース９０８及び更なるインタフェース９１０の少なくとも１つを更に備えてよい。
【００３７】
本発明に係る方法は、特に図８に示されたような送受信機が例えば信号プロセッサを備えるプログラム可能な処理手段により実現された信号処理を有する場合、コンピュータ及びプロセッサ等の少なくとも１つの処理手段を使用した実現例に適している。従って、図５及び図６を参照して説明した実施形態のいずれかに係る方法のいずれかのステップを処理手段、プロセッサ又はコンピュータに実行させるように構成された命令を含むコンピュータプログラムが提供される。コンピュータプログラムは、コンピュータ可読媒体１１００に格納され、且つ図１１に示されるように、好ましくは図５〜図７を参照して説明した実施形態のいずれかのような本発明の実施形態に係る方法をそれぞれ処理手段、プロセッサ又はコンピュータ１１０２に実行させるようにそれによりロード及び実行可能なプログラムコードを含むことが好ましい。コンピュータ１１０２及びコンピュータプログラム１１００は、方法のいずれかの動作がステップ毎に実行される場合に順次プログラムコードを実行するように構成されうる。処理手段、プロセッサ又はコンピュータ１１０２は、一般に組込みシステムと呼ばれるものであるのが好ましい。従って、図１１に示されたコンピュータ可読媒体１１００及びコンピュータ１１０２は、原理を理解するためだけに例示されるものとして解釈されるべきであり、要素の何らかの直接的な例として解釈されるべきではない。
【００３８】
いくつかの実施形態を参照して、本発明は主に上述された。しかし、当業者により容易に理解されるように、上述した以外の他の実施形態も添付の特許請求の範囲により規定されるような本発明の範囲内で同等に可能である。
【００３９】
略語
３ＧＰＰ  第３世代パートナーシッププロジェクト
ＬＴＥ  ３ＧＰＰ  Ｌｏｎｇ  Ｔｅｒｍ  Ｅｖｏｌｕｔｉｏｎ
ＨＳＰＡ  高速パケットアクセス
ＡＲＱ  自動再送要求
ＨＡＲＱ  ハイブリッドＡＲＱ
ＣＱＩ  チャネル品質指標
ＳＮＲ  信号対雑音比
ＳＩＲ  信号対干渉比
ＳＩＮＲ  信号対干渉雑音比
ＢＬＥＲ  ブロック誤り率
ＭＣＳ  変調及び符号化方式
ＵＬ  アップリンク
ＤＬ  ダウンリンク
ＡＢＳ  Ａｌｍｏｓｔ  Ｂｌａｎｋ  Ｓｕｂｆｒａｍｅ
ＲＥ  リソースエレメント
ＣＲＳ  共通参照シンボル
ＩＤ  アイデンティティ
ＩＣ  干渉消去
ＷＷＡＮ  ワイヤレスワイドエリアネットワーク
ＵＳＢ  Ｕｎｉｖｅｒｓａｌ  Ｓｅｒｉａｌ  Ｂｕｓ
【図１】
2014527349.tif 000003
【図２】
2014527349.tif 000004
【図３】
2014527349.tif 000005
【図４】
2014527349.tif 000006
【図５】
2014527349.tif 000007
【図６】
2014527349.tif 000008
【図７】
2014527349.tif 000009
【図８】
2014527349.tif 000010
【図９】
2014527349.tif 000011
【図１０】
2014527349.tif 000012
【図１１】
2014527349.tif 000013
【国際調査報告】
2014527349.tif 000014
2014527349.tif 000015